(57)【特許請求の範囲】
【請求項１】
把持部が設けられた本体と、
前記本体に紐部材を介して連結された玉と、
を備え、
前記本体は、前記玉を受ける少なくとも一つの皿部を有し、
前記皿部は、前記玉を載置可能な受皿部材と、前記玉に設けられた収容孔に収容可能な剣先部材と、を有し、
前記剣先部材は、前記受皿部材に対して着脱可能であり、
前記剣先部材の先端部を挿通可能な挿通孔が前記受皿部材に設けられており、
前記受皿部材は、前記本体に着脱可能に固定され、先端部が前記挿通孔に挿通された前記剣先部材の基端部を前記本体との間に挟み込んで前記剣先部材を前記皿部に固定する剣玉玩具。
【請求項２】
請求項１記載の剣玉玩具であって、
前記受皿部材は、前記本体に対して着脱可能に固定される剣玉玩具。
【請求項３】
請求項１又は請求項２記載の剣玉玩具であって、
前記受皿部材に着脱可能に装着される錘部材を備える剣玉玩具。
【請求項４】
請求項３記載の剣玉玩具であって、
互いに重さが異なる複数の前記錘部材を備える剣玉玩具。
【請求項５】
請求項３又は４記載の剣玉玩具であって、
前記錘部材は、前記剣先部材である剣玉玩具。
【請求項６】
請求項１から５のいずれか一項記載の剣玉玩具であって、
前記受皿部材及び前記本体は、前記受皿部材の中心軸まわりの前記受皿部材及び前記本体の相対回転に伴って互いに係合し、前記受皿部材を前記本体に保持する係合部をそれぞれ有し、
前記受皿部材及び前記本体の各々の係合部には、該係合部同士が係合した状態で、前記受皿部材及び前記本体の相対回転を阻止するロック部がそれぞれ設けられている剣玉玩具。
【発明の詳細な説明】
【技術分野】
【０００１】
本発明は、剣玉玩具に関する。
【背景技術】
【０００２】
特許文献１に記載された剣玉玩具は、受皿の向きや受皿の種類を変更可能に構成されており、受皿として、大きさが異なる複数の受皿、及び剣先が一体に形成された受皿を備えている。
【先行技術文献】
【特許文献】
【０００３】
【特許文献１】実用新案登録第３１３８１０２号公報
【発明の概要】
【発明が解決しようとする課題】
【０００４】
特許文献１に記載された剣玉玩具では、剣先が一体に形成された受皿が、本体から取り外されている際に剣先を上に向けて自立した状態に置かれる可能性がある。そして、遊技者が誤って踏むなどしてしまった場合に、剣先が一体に形成された受皿は、剣先と受皿とが一体であるが故に倒れにくく、安全性の面で改善の余地があった。
【０００５】
また、特許文献１に記載された剣玉玩具では、剣先と受皿とが一体形成されることで嵩張り、持ち運びに不便であった。
【０００６】
本発明は、上述した事情に鑑みなされたものであり、安全性や利便性に優れる剣玉玩具を提供することを目的とする。
【課題を解決するための手段】
【０００７】
本発明に係る剣玉玩具は、把持部が設けられた本体と、前記本体に紐部材を介して連結された玉と、を備え、前記本体は、前記玉を受ける少なくとも一つの皿部を有し、前記皿部は、前記玉を載置可能な受皿部材と、前記玉に設けられた収容孔に収容可能な剣先部材と、を有し、前記剣先部材は、前記受皿部材に対して着脱可能であり、前記剣先部材の先端部を挿通可能な挿通孔が前記受皿部材に設けられており、前記受皿部材は、前記本体に着脱可能に固定され、先端部が前記挿通孔に挿通された前記剣先部材の基端部を前記本体との間に挟み込んで前記剣先部材を前記皿部に固定する。
【０００８】
また、本発明に係る剣玉玩具においては、前記受皿部材は、前記本体に対して着脱可能に固定されるようにしてもよい。また、本発明に係る剣玉玩具においては、前記受皿部材に着脱可能に装着される錘部材を備えるようにしてもよい。
【０００９】
また、本発明に係る剣玉玩具においては、互いに重さが異なる複数の前記錘部材を備えるようにしてもよい。
【００１０】
また、本発明に係る剣玉玩具においては、前記錘部材は、前記剣先部材であってもよい。
【００１１】
また、本発明に係る剣玉玩具においては、前記剣先部材の先端部を挿通可能な挿通孔が前記受皿部材に設けられており、前記受皿部材は、前記本体に着脱可能に固定され、先端部が前記挿通孔に挿通された前記剣先部材の基端部を前記本体との間に挟み込んで前記剣先部材を前記皿部に固定するようにしてもよい。
【００１２】
また、本発明に係る剣玉玩具においては、前記受皿部材及び前記本体は、前記受皿部材の中心軸まわりの前記受皿部材及び前記本体の相対回転に伴って互いに係合し、前記受皿部材を前記本体に保持する係合部をそれぞれ有し、前記受皿部材及び前記本体の各々の係合部には、該係合部同士が係合した状態で、前記受皿部材及び前記本体の相対回転を阻止するロック部がそれぞれ設けられているようにしてもよい。
【発明の効果】
【００１３】
本発明によれば、安全性や利便性に優れる剣玉玩具を提供することができる。
【図面の簡単な説明】
【００１４】
【図１】本発明の実施形態を説明するための、剣玉玩具の一例の構成を示す斜視図である。
【図２】（Ａ）は図１の受皿部材の断面図、（Ｂ）は受皿部材の底面図である。
【図３】（Ａ）は図１の受皿部材が着脱される本体の取付部の断面図、（Ｂ）は取付部の平面図である。
【図４】図１の本体の皿部の断面図であって、剣先部材が固定された状態を示す断面図である。
【図５】図１の剣玉玩具の変形例の構成を示す断面図である。
【図６】図１の剣玉玩具の他の変形例の構成を示す断面図である。
【発明を実施するための形態】
【００１５】
［本発明の実施の形態］
図１は、本発明の実施形態を説明するための、剣玉玩具の一例の構成を示す。
【００１６】
剣玉玩具は、鼓状に形成された皿胴２、遊技者によって把持される把持部３、及び棒状に形成された剣先部４を有する本体１と、本体１に紐部材５を介して連結された玉６とを備える。把持部３と剣先部４とは、皿胴２を間に挟んで直線状に設けられている。玉６には、剣先部４を収容可能な収容孔６ａが形成されている。
【００１７】
皿胴２の両端部２１，２２、及び把持部３の端部３１には、玉６を受ける皿部が設けられている。皿胴２の一方の端部（取付部）２１に設けられた皿部は、玉６を載置可能な凹曲面７２が設けられた受皿部材７Ａと、玉６の収容孔６ａに収容可能な剣先部材８Ａとを有する。受皿部材７Ａには、凹曲面７２の中央部を貫通した挿通孔７１が設けられており、受皿部材７Ａとは別体に形成されている剣先部材８Ａは、挿通孔７１に挿通され、先端部８１が受皿部材７Ａの凹曲面７２に突出した状態に受皿部材７Ａに組み付けられる。
【００１８】
受皿部材７Ａは、単独で、又は剣先部材８Ａが組み付けられた状態で、取付部２１に着脱される。受皿部材７Ａに組み付けられた剣先部材８Ａは、受皿部材７が取付部２１に取り付けられることにより、受皿部材７と共に皿部を構成し、固定される。このように剣先部材８Ａは、受皿部材７Ａに対して着脱可能となっている。
【００１９】
受皿部材７Ａが単独で取付部２１に取り付けられた場合に、玉６は、受皿部材７Ａの凹曲面７２によって受け止められ、剣先部材８Ａが組み付けられた状態で受皿部材７Ａが取付部２１に取り付けられた場合には、玉６は、受皿部材７Ａの凹曲面７２から突出した剣先部材８Ａの先端部８１を収容孔６ａに収容しつつ、剣先部材８Ａによって受け止められる。
【００２０】
皿胴２の他方の端部（取付部）２２に設けられた皿部は、取付部２１に設けられた皿部と同様に、受皿部材７Ｂと、剣先部材８Ｂとを有しており、受皿部材７Ｂは、単独で、又は剣先部材８Ｂが組み付けられた状態で、取付部２２に着脱される。
【００２１】
把持部３の端部（取付部）３１に設けられた皿部もまた、受皿部材７Ｃと、剣先部材８Ｃとを有しており、受皿部材７Ｃは、単独で、又は剣先部材８Ｃが組み付けられた状態で、取付部３１に着脱される。
【００２２】
図２は受皿部材７Ａの構成を示し、図３は皿胴２の取付部２１の構成を示す。
【００２３】
受皿部材７Ａの上面には上記凹曲面７２が形成され、受皿部材７Ａの下面には受皿部材７Ａが着脱される取付部２１に係合する係合部７３，７４が突出して形成されている。係合部７３は、受皿部材７Ａの中心軸まわりに略円弧状に延設されており、断面が略Ｌ字の鉤状に形成されて先端部が外径側に向けて広がっている。そして、係合部７３の先端部の延在方向中央位置に凸部７３ａと凹部７３ｂとが形成されている。係合部７４は、受皿部材７Ａの中心軸を挟んで係合部７３と略対称に、係合部７３と同様に構成されており、係合部７４の先端部には凸部７４ａと凹部７４ｂとが形成されている。
【００２４】
取付部２１の上面には、略円形状の凹部２１ｅが設けられている。凹部２１ｅは、受皿部材７Ａの係合部７３，７４を収容可能に形成されており、凹部２１の開口縁部には係合部２１ａ，２１ｂが内径側に向けて突出して形成されている。係合部２１ａは、凹部２１の開口縁部に沿って円弧状に延設されており、係合部２１ｂは、取付部２１の中心軸を挟んで係合部２１ａと略対称に、係合部２１ａと同様に構成されている。
【００２５】
また、凹部２１ｅの周面には、凸部２１ｃ，２１ｄが設けられている。凸部２１ｃは、係合部２１ａの延在方向中央位置で係合部２１ａの下側に配置されており、凸部２１ｄは、係合部２１ｂの延在方向中央位置で係合部２１ｂの下側に配置されている。
【００２６】
受皿部材７Ａの係合部７３，７４が取付部２１の凹部２１ｅに収容された状態で、受皿部材７Ａがその中心軸まわりに回転されることにより、受皿部材７Ａの係合部７３，７４と取付部２１の係合部２１ａ，２１ｂとが互いに係合する。それにより、受皿部材７Ａは取付部２１に保持される。
【００２７】
そして、取付部２１の凸部２１ｃが係合部７３の凸部７３ａを乗り越えて凹部７３ｂに嵌り、また、取付部２１の凸部２１ｄが係合部７４の凸部７４ａを乗り越えて凹部７４ｂに嵌ることにより、係合部７３，７４と係合部２１ａ，２１ｂとが互いにロックされ、受皿部材７Ａの回転が阻止される。これにより、受皿部材７Ａの取付部２１からの脱落が阻止される。
【００２８】
なお、凹部２１ｅの周面にネジ溝を形成し、受皿部材７Ａを取付部２１にネジ留めするようにしてもよいが、ネジ留めであると、受皿部材７Ａの凹曲面７２にて玉６を受け止める際の衝撃が繰り返し作用することによってネジが緩み、受皿部材７Ａが脱落してしまう虞がある。これに対し、上記のように係合部７３，７４と係合部２１ａ，２１ｂとを互いにロックすることで、受皿部材７Ａが脱落することをより確実に阻止することができる。
【００２９】
受皿部材７Ｂと受皿部材７Ｂが着脱される取付部２２、及び受皿部材７Ｃと受皿部材７Ｃが着脱される取付部３１もまた、受皿部材７Ａ及び取付部２１と同様に構成される。
【００３０】
図４は、剣先部材８Ａが固定された状態を示す。
【００３１】
剣先部材８Ａは、受皿部材７の挿通孔７１に挿通可能な先端部８１と、挿通孔７１よりも大径に形成された基端部８２とを有する。先端部８１が受皿部材７Ａの下面側から挿通孔７１に挿通されて剣先部材８Ａは受皿部材７Ａに組み付けられており、剣先部材８Ａの基端部８２は受皿部材７の係合部７３，７４との間に収容されている。
【００３２】
剣先部材８Ａが組み付けられた状態で受皿部材７が取付部２１に取り付けられることにより、基端部８２が受皿部材７の下面と取付部２１の凹部２１ｅの底面との間に挟み込まれ、それにより剣先部材８Ａは固定される。
【００３３】
以上説明した剣玉玩具によれば、受皿部材７Ａ（７Ｂ，７Ｃ）と剣先部材８Ａ（８Ｂ，８Ｃ）とが別体で構成されているので、嵩張りを押さえることができ、持ち運びにおける利便性を高めることができる。また、剣先部材８Ａ（８Ｂ，８Ｃ）が床に置かれていたとしても剣先が上方を向いて自立することが少なく、安全性に優れる。
【００３４】
図５及び図６は、上述した剣玉玩具の変形例の構成を示す。
【００３５】
図５に示す例では、受皿部材７Ａの下面と取付部２１の凹部２１ｅの底面との間に、剣先部材８に替えて錘部材１００が挟み込まれている。錘部材１００は、円盤状（コイン状）に形成されており、取付部２１に着脱可能とされる。
【００３６】
また、図６に示すように、受皿部材７Ａの下面と取付部２１の凹部２１ｅの底面との間に、剣先部材８Ａと共に錘部材１００が挟み込まれるように構成することもできる。この場合に、剣先部材８Ａ及び錘部材１００の一方のみが用いられる場合には、例えば、剣先部材８Ａの基端部８２又は錘部材１００に替わる適宜なスペーサを挟むようにすればよい。
【００３７】
以上の例では、選択的に錘部材１００を用い、例えば使用者の好みに合わせて本体２の重さを変えることができ、使い勝手を高めることができる。重さが異なる複数種類の錘部材１００を自由に差し替えられるように構成すれば、さらに細かく本体２の重さを変えることができるので好ましい。
【００３８】
なお、剣先部材８と錘部材１００とは別体であるものとして説明したが、これに限らず、剣先部材８を錘部材としてもよい。
【００３９】
今回開示された実施形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００４０】
１  本体
２  皿胴
３  把持部
５  紐部材
６  玉
７Ａ，７Ｂ，７Ｃ  受皿部材
８Ａ，８Ｂ，８Ｃ  剣先部材
【要約】
【課題】剣先と受皿を別体で形成することで、持ち運びが便利な剣玉玩具を提供する。
【解決手段】剣玉玩具は、把持部３が設けられた本体１と、本体１に紐部材５を介して連結された玉６と、を備え、本体１は、玉を６受ける少なくとも一つの皿部を有し、皿部は、玉６を載置可能な受皿部材７Ａと、玉６に設けられた収容孔６ａに収容可能な剣先部材８Ａと、を有し、剣先部材８Ａは、受皿部材７Ａに対して着脱可能である。
【選択図】図１【図１】
0005739573.tif 000002
【図２】
0005739573.tif 000003
【図３】
0005739573.tif 000004
【図４】
0005739573.tif 000005
【図５】
0005739573.tif 000006
【図６】
0005739573.tif 000007